(57)【要約】規定された撮像範囲内に撮像する商品を導く構造を有するＰＯＳ端末装置を提供する。ＰＯＳ端末装置（１００）は、商品（Ａ）を撮像して画像を生成する撮像部（２７）を備えた商品読取装置（２２）を内蔵する筐体（２１）と、前記商品（Ａ）を読み取る商品読取部（２３）と、前記商品読取部（２３）は、前記撮像部（２７）の撮像範囲（Ｘ）の外枠を規定する商品読取枠（２４）を有し、前記筐体（２１）の外側に撮像範囲（Ｘ）内にかざした商品（Ａ）の被写体の像（Ａ’）を映し出すことができる反射体（２５）を備えている。
2015147328.tif 000002
【特許請求の範囲】
【請求項１】
商品を撮像して画像を生成する撮像部を備えた商品読取装置を内蔵する筐体と、
前記商品を読み取る商品読取部と、
前記商品読取部は、前記撮像部の撮像範囲の外枠を規定する商品読取枠を有し、
前記筐体の外側に撮像範囲内にかざした商品の被写体の像を映し出すことができる反射体を備えていることを特徴とするＰＯＳ端末装置。
【請求項２】
前記反射体は、前記撮像範囲内に前記商品が含まれている否かを視覚的に確認できる領域を表示できる位置にあることを特徴とする請求項１に記載のＰＯＳ端末装置。
【請求項３】
前記反射体は、反射鏡であることを特徴とする請求項１又は２に記載のＰＯＳ端末装置。
【請求項４】
前記商品読取部は、前記筐体に内蔵された前記撮像部と対向する筐体の一表面に、前記撮像部の撮像範囲の外枠を規定する前記商品読取枠を備え、
前記反射鏡による前記視覚的に確認できる領域は、前記商品読取枠内を目視できる範囲にあることを特徴とする請求項３に記載のＰＯＳ端末装置。
【請求項５】
前記商品読取部は、前記商品読取装置内に内蔵された前記撮像部の対向する位置に備えられた光透過性の材料で構成され、
前記反射鏡は、前記筐体の上端部又は下端部のいずれか一方に保持され、前記撮像範囲内にかざした商品の被写体の像を反射できる位置に設けられていることを特徴とする請求項３又は４に記載のＰＯＳ端末装置。
【請求項６】
前記商品読取部の筐体の上端部に保持されるように設けられた前記反射鏡の反射面は、前記商品側に傾斜できるように構成されていることを特徴とする請求項５に記載のＰＯＳ端末装置。
【請求項７】
前記反射鏡は、撮像した商品に関する情報を表示できるモニタ部を有し、
前記モニタ部は、撮像した商品に関する情報を店員が確認できる店員用表示操作部及び購入した商品情報を表示する顧客用表示部を備え、
前記反射鏡は、前記店員用表示操作部と近接した位置に設けられたことを特徴とする請求項６に記載のＰＯＳ端末装置。
【請求項８】
前記反射鏡の一方の側は、前記商品読取部の筐体の下端部に保持され、前記商品読取部の筐体の下端部に保持されてない前記反射物の片側は、前記商品読取部の外側に向かって延在していることを特徴とする請求項５に記載のＰＯＳ端末装置。
【請求項９】
前記反射鏡の反射面は、前記商品側に向けられていることを特徴とする請求項８に記載のＰＯＳ端末装置。
【請求項１０】
商品を撮像して画像を生成する撮像部を備えた商品読取装置を内蔵する筐体と、
前記筐体に内蔵された前記撮像部と対向する筐体の一表面に、前記撮像部の撮像範囲内を規定する商品読取部と、
前記撮像部に対向する前記筐体に装着され、前記撮像部の撮像範囲内にかざした商品の被写体の像を映し出すことができる透過性を有する反射体を備えると共に、
更に、前記筐体の一表面には、自然光を透過する透過部が設けられていることを特徴とするＰＯＳ端末装置。
【請求項１１】
前記透過性を有する反射体は、ハーフミラーであることを特徴とする請求項１０に記載のＰＯＳ端末装置。
【請求項１２】
前記自然光を透過する透過部は、ガラスであることを特徴とする請求項１０又は１１に記載のＰＯＳ端末装置。
【請求項１３】
前記自然光を透過する透過部は、前記ハーフミラーの外周の少なくとも一部に設けられていることを特徴とする請求項１１又は１２に記載のＰＯＳ端末装置。
【請求項１４】
前記自然光を透過する透過部は、前記ハーフミラーの中央部の前記撮像部と対向する領域に設けられていることを特徴とする請求項１１又は１２に記載のＰＯＳ端末装置。
【請求項１５】
前記店員用表示操作部が前記透過性を有する反射体側に設けていることを特徴とする請求項１０乃至１４のいずれか一項に記載のＰＯＳ端末装置。
【請求項１６】
前記商品読取枠が前記商品読取部の一表面にマーキングしてあることを特徴とする請求項１乃至１４のいずれか一項に記載のＰＯＳ端末装置。
【発明の詳細な説明】
【技術分野】
【０００１】
本発明は、撮像部（カメラ）に対して商品をかざして商品を画像認識できるＰＯＳ端末装置に関する。
【背景技術】
【０００２】
一般的に、スーパーマーケット等では、商品に添付されたバーコードや二次元コード（例えばＱＲ（Ｑｕｉｃｋ  Ｒｅｓｐｏｎｓｅ）コード（登録商標））を専用の読取装置を用いて読み取る方法が用いられている。近年、顧客が自分で直接ＰＯＳ（Ｐｏｉｎｔ  Ｏｆ  Ｓａｌｅｓ）端末操作を操作するセルフレジもある。いずれにしても、バーコードが添付された商品は、バーコードが商品のどの位置に添付されているのか探す手間が生じる場合があり、ＰＯＳ端末操作に要する時間が掛かる場合がある。
更に、生鮮食品やパン等のように予め商品にバーコードが添付されてない商品は、別途パッケージ等を用意してバーコードを添付する必要がある。この結果、余計な手間が発生することがある。バーコードの添付されていない商品をＰＯＳ端末の操作画面のキーボードによって店員が商品データを入力する手段もあるが、店員の熟練度によって商品のデータ入力時間に大きな差が生じる場合がある。
上述の問題点を改善するために、ＰＯＳ端末装置に内蔵されたカメラ等で商品を撮像して、得られた画像データから、画像認識技術を用いてバーコードが添付されていない商品でも商品を認識できる技術が提案されている。
例えば、特許文献１は、ＰＯＳ端末に内蔵されたカメラに商品をかざせば、商品の色や形、パッケージを読み取ることで、読み取った画像を端末内のデータベースとリアルタイムに照合して商品や価格などを自動入力できる技術を開示している。特許文献１の技術では、スーパーマーケット等で使われている商品バーコードが不要になる。
更に、特許文献２は読取部をハーフミラーで構成したＰＯＳ端末を提案している。特許文献２に係るＰＯＳ端末はハーフミラー面に商品をかざすと、ハーフミラー面に商品である被写体の像、特に、バーコードが映り込むので、商品をかざす向きを容易に判断可能になるという利点を有している。
【先行技術文献】
【特許文献】
【０００３】
【特許文献１】特開２０１３−１８２３２６号公報
【特許文献２】特開２０１３−０７７３３０号公報
【発明の概要】
【発明が解決しようとする課題】
【０００４】
ところが、特許文献１に示すようなカメラを内蔵したＰＯＳ端末装置の場合、撮像された商品を、ＰＯＳ端末に備え付けられたモニタを通して確認している。このため、商品の被読取面が正しくカメラに対してかざされた状態で撮像が行われているのかどうかは、モニタを通さなければ確認ができない。つまり、商品が規定された撮像範囲から外れた状態や一部欠けた状態で撮像が行われた場合、正しく商品を読み取れない場合があるので、読取装置の操作者は、商品が正しく読み取れるまで、商品の向きや持ち方を変えたりしながら、読取部に被読取面をかざす作業が何度も繰り返すこととなる。
特許文献２に示すＰＯＳ端末装置は、特許文献１の問題点を補完している。しかしながら、ハーフミラーを通して撮像を行うため、カメラに映る光量が通常の透過（即ち、透明）ガラスを通して撮像する場合と比べて半減してしまうという問題がある。このため、撮像される商品画像が暗くなり、誤認識等が生じる恐れがあった。この問題を解決するために、特許文献２には、カメラを内蔵したケースの外側にＬＥＤ光源を設けて商品の撮像を行うことが開示されている。特許文献２のように白黒のバーコードを認識ターゲットとする場合にはＬＥＤ光源を使用して商品を撮像しても問題とならない。しかしながら、色や立体感をも認識する必要のある生鮮商品を認識ターゲットとした場合、ＬＥＤ光源のような人工の光では、商品の実際の色合いと異なることがある。このため、生鮮商品を認識する場合には、人工的な光源を用いずに自然光に照らされた状態で商品を撮像するのが望ましい。
また、特許文献２に示すようなハーフミラーを通しての撮像は、微妙な凹凸感や色合いの撮像は難しく、仮に撮像できたとしても誤認識する確率が高い。つまり、撮像する商品に色や凹凸がある場合は、自然光が照らされている環境中で撮像を行う方が望ましい。
そこで、本発明は、上述した問題の少なくとも一つを解決するものである。具体的には、本発明の目的は、規定された撮像範囲内に撮像する商品を導く構造を有するＰＯＳ端末装置を提供することである。更に、本発明の目的は、色や立体感を有する生鮮商品等をより正確に認識させる事が可能なＰＯＳ端末装置を提供することである。
【課題を解決するための手段】
【０００５】
本発明の一実施形態のＰＯＳ端末装置は、商品を撮像して画像を生成する撮像部を備えた商品読取装置を内蔵する筐体と、前記商品を読み取る商品読取部と、前記商品読取部は、前記撮像部の撮像範囲の外枠を規定する商品読取枠を有し、前記筐体の外側に撮像範囲内にかざした商品の被写体の像を映し出すことができる反射体を備えていることにより、前述した課題を解決したものである。
また、本発明の別の実施形態のＰＯＳ端末装置は、商品を撮像して画像を生成する撮像部を備えた商品読取装置を内蔵する筐体と、前記筐体に内蔵された前記撮像部と対向する筐体の一表面に、前記撮像部の撮像範囲内を規定する商品読取部と、前記撮像部に対向する前記筐体に装着され、前記撮像部の撮像範囲内にかざした商品の被写体の像を映し出すことができる透過性を有する反射体を備えると共に、更に、前記筐体の一表面には、自然光を透過する透過部を設けることにより、前述した課題を解決したものである。
【発明の効果】
【０００６】
本発明によれば、色や凹凸がある商品でも撮像を可能とすると共に、被写体である商品の像をモニタ等に表示するような特段な手段を用いなくても、反射体に映り込んだ商品の被写体の像を確認しながら、撮像対象である商品が撮像範囲内に入っているのか、商品が正しい向きを向いているのか確認ができる。このため、実作動時間が短くなる点や使い勝手が向上するのでレジでの操作時間や顧客の待ち時間が短くなる。また、本発明によれば、商品を撮像するための照明が不要になる。この結果、ＰＯＳ端末装置の省電力化を図ることも可能になる。
【図面の簡単な説明】
【０００７】
図１は、本発明の実施形態１に係るＰＯＳ端末装置の概略構成図であって、商品を撮像範囲にかざしたイメージをＰＯＳ端末装置の側面から見た図も記載している。
図２は、図１に示す商品を撮像範囲にかざした商品の被写体の像が反射体に映り込んでいるイメージをＰＯＳ端末装置の正面から見た概略図を表す。
図３は、本発明の実施形態２に係るＰＯＳ端末装置の概略構成図であって、商品を撮像範囲にかざしたイメージをＰＯＳ端末装置の側面から見た図も記載している。
図４は、図３に示す商品を撮像範囲にかざしたイメージをＰＯＳ端末装置の正面から見た概略図を表す。
図５は、図３に示す商品を撮像範囲にかざした商品の被写体の像が反射体に映り込んでいるイメージをＰＯＳ端末装置の上面から見た概略図を表す。
図６は、本発明の実施形態３に係るＰＯＳ端末装置の概略構成図であって、商品を撮像範囲にかざしたイメージをＰＯＳ端末装置の側面から見た図も記載している。
図７は、図６に示す商品を撮像範囲にかざしたイメージをＰＯＳ端末装置の正面から見た概略図を表す。
図８は、本発明の実施形態３に係るＰＯＳ端末装置の変形例を正面から見た概略図を表す。
図９は、本発明の実施形態４に係るＰＯＳ端末装置の概略構成図であって、商品を撮像範囲にかざしたイメージをＰＯＳ端末装置の側面から見た図も記載している。
図１０は、図９に示す商品を撮像範囲にかざしたイメージをＰＯＳ端末装置の正面から見た概略図を表す。
図１１は、本発明の実施形態１〜４に例示したＰＯＳ端末装置の商品読取枠を明示するマーキングを商品読取部の一表面に施した状態の一実施形態を示す。
図１２は、本発明の実施形態１〜４に例示したＰＯＳ端末装置の商品読取枠を明示するマーキングを商品読取部の一表面に施した状態の別の実施形態を示す。
【発明を実施するための形態】
【０００８】
以下では、店員と顧客の対面式のレジを有するような店舗にあるＰＯＳ端末装置を例にとって本発明を説明する。本発明の実施形態に係るＰＯＳ端末装置は、規定された撮像範囲Ｘ内に撮像する商品Ａを導く構造を有している。しかしながら、本発明は対面式のＰＯＳ端末に限らず、セルフレジ式のＰＯＳ端末にも適用できることは言うまでもない。なお、ここでの店舗とは、生鮮食品等、色と凹凸を有する商品を扱うスーパーマーケット等である。
実施形態１
図１〜図２は、本発明の実施形態１に係るＰＯＳ端末装置１００を示している。具体的には、本発明のＰＯＳ端末装置１００は、規定された撮像範囲Ｘ内に撮像する商品Ａを導くために、商品Ａを撮像して画像を生成する撮像部２７を備えた商品読取装置２２を内蔵する筐体２１を有している。ＰＯＳ端末装置１００は、更に反射体（ここでは、反射鏡）２５を有している。この例では、反射体２５は筐体２１の外側に設けられている。
具体的に説明すると、店員と顧客の対面式のレジを有するような店舗では、ＰＯＳ端末装置１００は、図１に点線で示す情報処理装置１３と、撮像した商品Ａに関する情報を店員が確認できる店員用表示操作部１１と、購入した商品情報を表示する顧客用表示部１２からなるモニタ部１０を備えてもよい。
図２に示す反射体２５は、筐体２１が内蔵する撮像部２７と対向する面の筐体２１の一表面に設けられている。反射体２５は、撮像部２７の撮像範囲Ｘ内を規定する商品読取部２３と、前記撮像部２７の撮像範囲Ｘ内にかざされた商品Ａの被写体の像Ａ’を映し出すことができる位置に設けられている。反射体２５は、撮像範囲Ｘ内に商品Ａの被写体の像Ａ’が含まれているか否かを視覚的に確認できる領域を規定している。
更に、図１及び図２に示すように、商品読取部２３は、撮像部２７の撮像範囲Ｘの外枠を規定する商品読取枠２４を備えており、反射体２５による視覚的に確認できる領域は、商品読取枠２４内を目視できる範囲にある。
また、商品読取部２３としては、商品読取装置２２を内蔵する撮像部２７と対向する位置にある光透過性の材料（ガラスなど）を用いた部材を例示できる。
図１及び図２に示す反射体２５は、筐体２１の上端部２８に位置している。反射体２５が、図１に示すように商品読取部２３を筐体２１の上端部２８が保持する構成とした場合、反射体２５の反射面２６は商品Ａ側に傾斜できるように設置される。また、図２に示すように、店員が反射体２５に映り込んだ商品Ａの被写体の像Ａ’と店員用表示操作部１１を同時に見られるように、反射体２５は、店員用表示操作部１１と近接した位置に設けてもよい。
なお、図１に例示するＰＯＳ端末装置１００の構成では、図２のように、ＰＯＳ端末装置１００を正面から見た時に、商品Ａの被写体の像Ａ’及び商品読取枠２４の被写体の像２４’は、反射体２５の取り付け位置と商品読取部２３との位置関係から反射体２５の上側に見える。
実施形態２
図３〜図５は、本発明の実施形態２に係るＰＯＳ端末装置１０１を示し、ここでは、反射体２５は図１及び２に示す位置とは異なる位置に設けられている。具体的には、図３、図４及び図５に示す例は、反射体２５に映り込んだ商品Ａの被写体の像Ａ’を視覚的に見やすくするために、反射体２５を商品読取部２３の筐体２１の下端部２９と保持するように設けている。商品読取部２３の筐体２１の下端部２９と保持されてない反射体２５の片側は、商品読取部２３の外側に向かって延在するように、且つ、商品読取部２３に対しては直角となる位置にある。
なお、図３に例示するＰＯＳ端末装置１０１の構成では、図５の方向からＰＯＳ端末装置１０１を見た時に、商品Ａの被写体の像Ａ’及び商品読取枠２４の被写体の像２４’は、反射体２５の取り付け位置と商品読取部２３との位置関係から筐体２１の手前側（下側）に見える。
実施形態３
図６〜図７は、本発明の実施形態３に係るＰＯＳ端末装置１０２を示している。具体的には、本発明のＰＯＳ端末装置１０２は、規定された撮像範囲Ｘ内に撮像する商品Ａを導くために、商品Ａを撮像して画像を生成する撮像部２７を備えた商品読取装置２２を内蔵する筐体２１と、撮像部２７に対向する筐体２１に設けられた透過性を有する反射体（ハーフミラー）４１を有している。
本実施形態では、透過性を有する反射体として透過率と反射率がそれぞれ５０％であるハーフミラー４１を用いた例を示しているが、透過率と反射率は５０％に限らず適宜に変更可能である。また、本実施形態では、ハーフミラー４１は、筐体２１の外側の一表面に設けた例を示しているが、ハーフミラーを設ける場所は必ずしも外側の一表面ではなくてもよく、例えば、筐体２１の内側面の撮像部２７に対向する任意の位置にハーフミラー４１を設けてもよい。
更に、店員と顧客の対面式のレジを有するような店舗では、ＰＯＳ端末装置１０２は、図６に点線で示す情報処理装置１３と、撮像した商品Ａに関する情報を店員が確認できる店員用表示操作部１１と、購入した商品情報が出力される顧客用表示部１２からなるモニタ部１０を備えてもよい。
図７に示されているように、ハーフミラー４１の左端と右端は、筐体２１の両端まで広げられた位置にあってもよく、更に、ハーフミラー４１を上下に挟むように、自然光を透過する透過部４０が筐体２１の一表面に設けてもよい。なお、透過部４０は、ガラス等で構成されてもよく、又は、筐体２１に開口を有した透過部４０を設けられてもよい。透過部４０は、ハーフミラー４１による光量の減少を補うことができる。すなわち、この透過部４０を設けることによって、撮像部２７はＬＥＤ等の光源がなくても、商品読取装置２２内に取り込んだ自然光の明るさを利用しながら撮像範囲Ｘ内にかざされた商品Ａを撮像できる。
図６〜図７に示すＰＯＳ端末装置１０２は、更に、筐体２１に内蔵された撮像部２７と対向する筐体２１の一表面に、撮像部２７の撮像範囲Ｘ内を規定する商品読取部２３と、撮像部２７に対向する筐体２１の一表面に装着され、撮像部２７の撮像範囲Ｘ内にかざした商品Ａの被写体の像Ａ’を映し出すことができるハーフミラー４１を備えている。また、筐体２１の一表面の一部には、自然光を透過する透過部４０が設けられている。
つまり、実施形態３では、実施形態１と実施形態２に示す反射体２５の代わりに、ハーフミラー４１によって規定された撮像範囲Ｘ内に撮像する商品Ａを導けるようになっている。ハーフミラー４１は、撮像範囲Ｘ内を目視によって視覚的に確認できる領域（即ち、視覚確認領域）を規定できる。
更に、ＰＯＳ端末装置１０２のハーフミラー４１は、商品読取部２３の一部を構成しており、ハーフミラー４１の外枠より内側に、撮像部２７の撮像範囲Ｘの外枠を規定する商品読取枠２４（破線参照）を備えている。即ち、商品読取枠２４の範囲内のハーフミラー４１面に映り込んだ商品Ａの像Ａ’が、商品Ａの撮像範囲Ｘ内に映しだされる。
図８は、本発明の実施形態３に係るＰＯＳ端末装置１０２の変形例を示している。図７に示した実施形態３は、透過部４０の中央部にハーフミラー４１を有している。他方、図８に示したＰＯＳ端末装置のハーフミラー５１は、商品読取枠２４の外枠と同じサイズを有している。また、実施形態３に示した透過部４０よりもより多くの採光を取り入れることができるようにハーフミラー５１の全体を囲うように設けられた透過部５０が備えられている。
実施形態４
図９〜図１０は、本発明の実施形態４に係るＰＯＳ端末装置１０３を示している。具体的には、この実施形態４に係るＰＯＳ端末装置１０３は、概ね中央部の撮像部２７と対向する領域に商品Ａの色、凹凸確認用の透過部６０を有したハーフミラー６１を備えている。
以下に、図１及び図２を参照して、撮像対象である商品Ａを規定された撮像範囲Ｘ内に導く方法を説明する。撮像対象である商品Ａの筐体２１側の商品読取枠２４が撮像範囲Ｘである。つまり、商品読取枠２４に収まるように商品Ａを反射体２５方向に向ける。この場合、筐体２１の外側に備え付けられた反射体２５に商品Ａの被写体の像Ａ’が映しだされる。操作者は、映り込んだ商品読取枠２４の被写体の像２４’の中に商品Ａの被写体の像Ａ’が収まっているかを確認しながら商品を撮像範囲Ｘ内に導く。このような状態で商品Ａを撮像すれば、商品Ａを認識できる。この結果、ＰＯＳ端末装置１００の操作者は、商品Ａが撮像範囲Ｘから外れているか否かを反射体２５の像を見ながら容易に確認できる。すなわち、操作者は、商品をかざす作業を何度も繰り返すことが無くなる。したがって、商品認識作業の効率を向上させることができる。
以上、実施形態を参照して本発明を説明したが、本発明は実施形態に限定されるものではない。本発明の構成や詳細は、本発明の範囲内で当業者が理解し得る様々な変更できる。
例えば、大型な商品（スイカ、ダイコンなど）を反射体越しに確認できるように図１〜２に例示する反射体２５に広角ミラーのような反射鏡を用いてもよく、必要であればＰＯＳ端末装置を設置する店舗で反射体２５の角度が適宜の位置に角度調節できる機能を持たせてもよい。
また、本発明はセルフレジ式ＰＯＳ端末にも適用できる。この場合は、本実施形態で示した店員用表示操作部１１は、顧客用表示部１２と兼ね備えたモニタ部１０を備えている。
更に、図９及び図１０に例示した商品Ａの色、凹凸確認用の透過部６０は、商品Ａの色、凹凸確認ができる商品読取枠２４の範囲内であれば、透過部６０をハーフミラー６１の中央だけではなく、例えばハーフミラー６１の端部や任意の場所へ設けても良い。更に、複数の透過部６０をハーフミラー６１面に設けても良く、又は、透過部６０は、任意の形状にできる。
また、図９及び図１０に示すＰＯＳ端末装置１０３中央に透過部６０を含むハーフミラー６１は、図６、図７に示すＰＯＳ端末装置１０２のハーフミラー４１又は図８に示すＰＯＳ端末装置１０２のハーフミラー５１にも適用できる。
更に、本発明の実施形態１〜４に示すＰＯＳ端末装置の商品読取枠２４を明示する図１１又は１２のようなマーキングを商品読取部２３の一表面に施してもよい。
【産業上の利用可能性】
【０００９】
本発明は、ＰＯＳ端末装置を有するスーパーマーケットや対面販売を行う店舗などに適用できる。
この出願は、２０１４年３月２８日に日本に出願した特願第２０１４−０６７８１４号を基礎とする優先権を主張し、その開示のすべてをここに取り込む。
【符号の説明】
【００１０】
１００，１０１，１０２，１０３  ・・・  ＰＯＳ端末装置
１０  ・・・  モニタ部
１１  ・・・  店員用表示操作部
１２  ・・・  顧客用表示部
１３  ・・・  情報処理装置
２１  ・・・  筐体
２２  ・・・  商品読取装置
２３  ・・・  商品読取部
２４  ・・・  商品読取枠
２４’・・・  商品読取枠２４の被写体の像
２５  ・・・  反射体（反射鏡）
２６  ・・・  反射面
２７  ・・・  撮像部
２８  ・・・  上端部
２９  ・・・  下端部
４０  ・・・  透過部（採光用）
４１  ・・・  反射体（ハーフミラー）
５０  ・・・  透過部（採光用）
５１  ・・・  ハーフミラー
６０  ・・・  透過部（色、凹凸認識用）
６１  ・・・  ハーフミラー
Ａ    ・・・  商品
Ａ’  ・・・  商品Ａの被写体の像
Ｘ    ・・・  撮像範囲
【図１】
2015147328.tif 000003
【図２】
2015147328.tif 000004
【図３】
2015147328.tif 000005
【図４】
2015147328.tif 000006
【図５】
2015147328.tif 000007
【図６】
2015147328.tif 000008
【図７】
2015147328.tif 000009
【図８】
2015147328.tif 000010
【図９】
2015147328.tif 000011
【図１０】
2015147328.tif 000012
【図１１】
2015147328.tif 000013
【図１２】
2015147328.tif 000014
【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
商品を撮像して画像を生成する撮像部を備えた商品読取装置を内蔵する筐体と、
前記商品を読み取る商品読取部と、
前記商品読取部は、前記撮像部の撮像範囲の外枠を規定する商品読取枠を有し、
前記筐体の外側に撮像範囲内にかざした商品の被写体の像を映し出すことができる反射体を備えていることを特徴とするＰＯＳ端末装置。
【請求項２】
前記反射体は、前記撮像範囲内に前記商品が含まれている否かを視覚的に確認できる領域を表示できる位置にあることを特徴とする請求項１に記載のＰＯＳ端末装置。
【請求項３】
前記反射体は、反射鏡であることを特徴とする請求項１又は２に記載のＰＯＳ端末装置。
【請求項４】
前記商品読取部は、前記筐体に内蔵された前記撮像部と対向する筐体の一表面に、前記撮像部の撮像範囲の外枠を規定する前記商品読取枠を備え、
前記反射鏡による前記視覚的に確認できる領域は、前記商品読取枠内を目視できる範囲にあることを特徴とする請求項３に記載のＰＯＳ端末装置。
【請求項５】
前記商品読取部は、前記商品読取装置内に内蔵された前記撮像部の対向する位置に備えられた光透過性の材料で構成され、
前記反射鏡は、前記筐体の上端部又は下端部のいずれか一方に保持され、前記撮像範囲内にかざした商品の被写体の像を反射できる位置に設けられていることを特徴とする請求項３又は４に記載のＰＯＳ端末装置。
【請求項６】
前記商品読取部の筐体の上端部に保持されるように設けられた前記反射鏡の反射面は、前記商品側に傾斜できるように構成されていることを特徴とする請求項５に記載のＰＯＳ端末装置。
【請求項７】
前記ＰＯＳ端末装置は、撮像した商品に関する情報を表示できるモニタ部を有し、
前記モニタ部は、撮像した商品に関する情報を店員が確認できる店員用表示操作部及び購入した商品情報を表示する顧客用表示部を備え、
前記反射鏡は、前記店員用表示操作部と近接した位置に設けられたことを特徴とする請求項６に記載のＰＯＳ端末装置。
【請求項８】
前記反射鏡の一方の側は、前記商品読取部の筐体の下端部に保持され、前記商品読取部の筐体の下端部に保持されてない前記反射物の片側は、前記商品読取部の外側に向かって延在していることを特徴とする請求項５に記載のＰＯＳ端末装置。
【請求項９】
前記反射鏡の反射面は、前記商品側に向けられていることを特徴とする請求項８に記載のＰＯＳ端末装置。
【請求項１０】
商品を撮像して画像を生成する撮像部を備えた商品読取装置を内蔵する筐体と、
前記筐体に内蔵された前記撮像部と対向する筐体の一表面に、前記撮像部の撮像範囲内を規定する商品読取部と、
前記撮像部に対向する前記筐体に装着され、前記撮像部の撮像範囲内にかざした商品の被写体の像を映し出すことができる透過性を有する反射体を備えると共に、
更に、前記筐体の一表面には、自然光を透過する透過部が設けられていることを特徴とするＰＯＳ端末装置。
【請求項１１】
前記透過性を有する反射体は、ハーフミラーであることを特徴とする請求項１０に記載のＰＯＳ端末装置。
【請求項１２】
前記自然光を透過する透過部は、ガラスであることを特徴とする請求項１０又は１１に記載のＰＯＳ端末装置。
【請求項１３】
前記自然光を透過する透過部は、前記ハーフミラーの外周の少なくとも一部に設けられていることを特徴とする請求項１１又は１２に記載のＰＯＳ端末装置。
【請求項１４】
前記自然光を透過する透過部は、前記ハーフミラーの中央部の前記撮像部と対向する領域に設けられていることを特徴とする請求項１１又は１２に記載のＰＯＳ端末装置。
【請求項１５】
前記店員用表示操作部が前記透過性を有する反射体側に設けていることを特徴とする請求項１０乃至１４のいずれか一項に記載のＰＯＳ端末装置。
【請求項１６】
前記商品読取枠が前記商品読取部の一表面にマーキングしてあることを特徴とする請求項１乃至１４のいずれか一項に記載のＰＯＳ端末装置。
【国際調査報告】
2015147328.tif 000015
2015147328.tif 000016
2015147328.tif 000017
2015147328.tif 000018